(57)【要約】【課題】液晶表示装置の性能に左右されずデジタルサイネージ装置に表示する画像を見易くするプログラムや装置とし、また広告主にとっては、顧客を引きつけるための広告を的確に反映することができるシステムを提供することにある。【解決手段】複数の店舗の所在を示す地図が記載される地図領域と、店舗と予め関連づけられた広告を表示する広告表示データと、店舗の近傍に設置される監視カメラと、地図領域に示される店舗が選択されると表示画面の切り替えを行い、選択された店舗の広告表示データを表示画面に表示する広告領域と、店舗により予め定められた店舗の近傍を監視カメラが撮像し、その撮像した映像を表示画面２２に表示する映像表示領域と、表示画面２２に告領域と映像表示領域とを同時に表示する複数画面表示手段とを備えたことを特徴とする。【選択図】図１
2018010613.tif 000002
【特許請求の範囲】
【請求項１】
店舗の広告や案内を表示する表示画面を含んだ表示装置を設けたデジタルサイネージシステムであって、
複数の前記店舗の所在を示す地図が記載される地図領域と、
前記店舗と予め関連づけられた広告を表示する広告表示データと、
前記店舗の近傍に設置される監視カメラと、  
前記地図領域に示される店舗が選択されると前記表示画面の切り替えを行い、選択された店舗の前記広告表示データを前記表示画面に表示する広告領域と、
前記店舗により予め定められた店舗の近傍を前記監視カメラが撮像し、その撮像した映像を前記表示画面に表示する映像表示領域と、
前記表示画面に前記広告領域と前記映像表示領域とを同時に表示する複数画面表示手段と、
を備えたことを特徴とするデジタルサイネージシステム。
【請求項２】
前記映像表示領域に配信される前記監視カメラの映像をリアルタイムで表示するリアルタイム配信手段と、を備えたことを特徴とする請求項１に記載のデジタルサイネージシステム。
【請求項３】
前記地図領域に記載された前記店舗の一つを選択可能なタッチセンサーと、
前記店舗には固有の識別番号として店舗識別番号が付与され、前記監視カメラには固有の識別番号として監視カメラ識別番号が付与され、前記地図領域の位置情報と、店舗識別番号及び監視カメラ識別番号とを関連付けて管理する管理手段と、を備え、
前記管理手段は、
前記タッチセンサーが選択した前記地図領域の位置情報に対応した店舗識別番号及び監視カメラ識別番号を呼び出し、前記店舗識別番号に対応した前記広告表示データと、前記監視カメラ識別番号に対応した前記監視カメラが撮像した映像と、を前記表示装置に配信し、前記表示装置の前記表示画面に表示するデータ配信手段と、
を備えたことを特徴とする請求項１に記載のデジタルサイネージシステム。
【請求項４】
無線による通信が可能な無線通信手段を備えた携帯端末装置と、
前記無線通信手段によって得られた前記広告表示データを前記携帯端末装置により編集可能な編集手段と、
前記無線通信手段によって予め定められた店舗の近傍を撮像する前記監視カメラの映像を前記携帯端末装置の画面に表示示可能な端末表示手段と、
を備えたことを特徴とする請求項１に記載のデジタルサイネージシステム。
【請求項５】
店舗等の広告又は案内を表示装置の表示画面に複数のコンテンツを出力するコンテンツ出力方法であって、
第１のフレーム内に少なくとも１つの第１のコンテンツを表示する工程と、
前記第１のフレーム及び前記第１のコンテンツを表示させた状態で前記第１のフレームの背面に第２のフレームを表示させ、前記第２のフレーム内には少なくとも１つの第２のコンテンツを表示させる工程と、
前記第２のコンテンツを表示させた後、前記第１のフレーム及び前記第１のコンテンツを削除する工程と、を有することを特徴とするコンテンツ出力方法。
【請求項６】
店舗等の広告又は案内を表示装置の表示画面に表示する文字を出力するコンテンツ出力方法であって、
表示する文字列を予めテクスチャー空間に描画する工程と、
前記テクスチャー空間に描画した前記文字列を囲われた表示領域内にのみに表示する工程と、
前記表示領域を前記文字列に従って移動し、文字を前記表示画面上に表示する工程と、
を有することを特徴とするコンテンツ出力方法。
【請求項７】
前記表示領域内に表示可能な前記単位文字数分を重複して描画する工程と、文字列表示手段は、前記単位表示手段を移動させて前記文字列を表示する工程と、
を有することを特徴とする請求項６に記載のコンテンツ出力方法。
【請求項８】
店舗等の広告又は案内を表示装置の表示画面に複数のコンテンツを表示する制御を機能させるプログラムであって、
第１のフレーム内に少なくとも１つの第１のコンテンツを表示するコンテンツ表示手段と、
前記第１のフレーム及び前記第１のコンテンツを表示させた状態で前記第１のフレームの背面に第２のフレームを表示させ、前記第２のフレーム内には少なくとも１つの第２のコンテンツを表示させる同時表示手段と、
前記第２のコンテンツを表示させた後、前記第１のフレーム及び前記第１のコンテンツを削除する削除手段と、を制御する機能をさせることを特徴とするプログラム。
【請求項９】
店舗等の広告又は案内を表示装置の表示画面に表示する文字を出力する制御を機能させるプログラムであって、
表示する文字列を予めテクスチャー空間に描画する文字列描画手段と、
前記テクスチャー空間に描画した前記文字列を所定の単位文字数を囲った表示領域内にのみに表示する単位表示手段と、
前記単位表示手段を、前記表示領域を前記文字列に従って移動し、前記表示領域内の文字を前記表示画面上に表示する文字列表示手段と、を制御する機能をさせることを特徴とするプログラム。
【請求項１０】
前記表示領域内に表示可能な前記単位文字数分を重複して描画する重複文字描画手段を制御し、
前記文字列表示手段は、前記単位表示手段を移動させて前記文字列を表示する文字列移動手段を制御する機能をさせることを特徴とする請求項９に記載のプログラム。
【請求項１１】
前記表示画面に表示する順番が予め定められている複数のレイヤーと、
上位に表示する上位レイヤーに前記文字列を描画し、前記表示画面上に前記文字を表示する前記文字列表示手段と、
前記上位レイヤーの下方に位置した下位レイヤーに背景を描画する背景描画手段と、
前記上位レイヤーと下位レイヤーの中間に位置した中間レイヤーに前記コンテンツを描画するコンテンツ描画手段と、を制御する機能をさせることを特徴とする請求項８及び請求項９に記載のプログラム。
【請求項１２】
複数の請求項８乃至請求項１１の何れか一項に記載のプログラムを備えたことを特徴とするデジタルサイネージ装置。
【請求項１３】
開閉する扉に備えられたデジタルサイネージ装置であって、
前記扉の筐体を形成した筐体部と、
前記筐体部の内部には広告又は案内を表示する表示画面と、
前記表示画面以外の筐体内に前記表示画面を制御する制御部と、
前記扉の周囲の少なくとも一片に前記制御部へ供給する電源を受電する電源受電部と、
電源を前記制御部へ供給する配線を、筐体を形成する一部の支柱の内部に配設した配線敷設部と、
を備えたことを特徴とするデジタルサイネージ装置。
【請求項１４】
前記筐体部を形成する支柱を格子状に形成し、採光が可能な窓部と、を備え、
前記窓部と、前記表示画面及び前記制御部を収納する空間部とを上下に並列に配置したことを特徴とする請求項１３に記載のデジタルサイネージ装置。
【請求項１５】
格子状に形成した前記窓部は、前記筐体部に沿って上下にスライド可能に形成し、前記表示画面を被うように配置したことを特徴とする請求項１３に記載のデジタルサイネージ装置。
【請求項１６】
前記表示画面は、消灯時に透過可能な透過手段を備えたことを特徴とする請求項１３に記載のデジタルサイネージ装置。
【請求項１７】
採光が可能な格子状の格子部と、
背面にある液晶表示部を透過し表示する表示部と、
を備えた扉と、
前記液晶表示部の近傍に設け、発光素子からの光を前記格子部に向かって発光する照明部と、
コンテンツを再生する前記液晶表示部と、
前記照明部と前記液晶表示部とを収納する収納部と、を備えたことを特徴とするデジタルサイネージ装置。
【請求項１８】
前記扉をスライドして移動させることにより、前記格子部と前記照明部との位置が合致し、及び前記表示部と前記液晶表示部との位置が合致する位置に、前記扉を移動することが可能なレール状のレール部を前記収納部に備えたことを特徴とする請求項１７に記載のデジタルサイネージ装置。
【発明の詳細な説明】
【技術分野】
【０００１】
本発明は、広告や案内等を行うデジタルサイネージシステム、デジタルサイネージシステムに使用されるデジタルサイネージ装置、コンテンツ出力方法及びプログラムに関する。
【背景技術】
【０００２】
従来から広告又は店舗等の案内を表示するデジタルサイネージ装置として液晶表示を使用した表示装置が良く使用されており、液晶画面の解像度や液晶表示装置の表示自体の性能を向上させて表示する装置が提案されてきている。
例えば、特許文献１には、誘引性、誘目性を向上することで、広告効果を高めることができるデジタルサイネージ装置が提案されており、デジタルサイネージ装置は、ＬＣＤパネルおよびバックライトを含む画像表示部と、バックライトの温度を測定する温度センサと、画像表示部における表示領域の表示形態を調整する映像信号処理部と、映像信号処理部を制御するＣＰＵとを備え、ＣＰＵは、画像表示部に表示されるべき原画像の画像情報における画素値と、温度センサによって測定されたバックライトの温度とに基づいて、画像表示部における表示領域の照度を算出し、画像表示部周辺における外光の照度、および、算出した表示領域の照度に応じて赤色または青色を選択し、選択した色が表示領域の少なくとも一部分である色表示領域に表示されるように、映像信号処理部を制御する装置が記載されている。
【０００３】
また、例えば、特許文献２には、広告主のコンテンツ作成の負担を軽減し、簡易に広告効果の高い広告コンテンツを提示できるようにするデジタルサイネージ装置が提案されており、コンテンツ登録部は、コンテンツとともに、案内図を貼りたい表示位置と、広告主店舗の場所情報を記述した案内図情報を入力する。案内図展開部は、コンテンツを表示する個々のディスプレイの設置場所に関するデータを使って、設置場所から案内図情報における目的地までの経路を含む案内図を作成し、コンテンツ上に案内図を配置する。配信制御部は、自動作成された案内図付きのコンテンツを各ディスプレイ端末に配信する装置が記載されている。
【先行技術文献】
【特許文献】
【０００４】
【特許文献１】特開２０１２−１２８２１０号公報
【特許文献２】特開２０１１−０７００４４号公報
【発明の開示】
【発明が解決しようとする課題】
【０００５】
しかしながら、従来の装置では、液晶表示装置の自体の表示性能を向上することであるため液晶表示装置自体が変わってしまうと、その効果は全く享受することができなくなってしまう。
また、広告主にとって顧客が知りたい情報を迅速に情報表示装置に反映できるシステムが望まれており、今までの装置では困難な状況であった。
【０００６】
本発明は、液晶表示装置の性能に左右されずデジタルサイネージ装置に表示する画像を見易くするシステム、装置、方法及びプログラムを提供し、また広告主にとっては、顧客を引きつけるための広告を的確に反映することができるシステム等を提供することにある。
【課題を解決するための手段】
【０００７】
店舗の広告や案内を表示する表示画面を含んだ表示装置を設けたデジタルサイネージシステムであって、複数の前記店舗の所在を示す地図が記載される地図領域と、前記店舗と予め関連づけられた広告を表示する広告表示データと、前記店舗の近傍に設置される監視カメラと、前記地図領域に示される店舗が選択されると前記表示画面の切り替えを行い、選択された店舗の前記広告表示データを前記表示画面に表示する広告領域と、前記店舗により予め定められた店舗の近傍を前記監視カメラが撮像し、その撮像した映像を前記表示画面に表示する映像表示領域と、前記表示画面に前記広告領域と前記映像表示領域とを同時に表示する複数画面表示手段と、を備えたことを特徴とする。
【発明の効果】
【０００８】
以上の特徴により、広告を見ながら店内の近傍の様子を見ることができるので、顧客は店舗の賑わいや店舗の様子により広告商品の購買意欲が誘発されることにもなる。また、店主等は離れた箇所からでも店舗近傍の様子も監視カメラで確認することができるので防犯上においても有益なものとなる。
【図面の簡単な説明】
【０００９】
【図１】第１の実施形態の情報統合システムの系統図である。
【図２】第１の実施形態の監視カメラシステムの店舗のマップ画像とカメラ映像の概要図である。
【図３】第１の実施形態の店舗のマップ情報の概要図である。
【図４】第１の実施形態の店舗のマップ画像の概要図である。
【図５】第１の実施形態のデジタルサイネージシステムの画面表示の遷移図である。
【図６】第１の実施形態の情報統合システムの携帯インカムシステムの説明図である。
【図７】第１の実施形態のデジタルサイネージシステムに表示されるコンテンツの遷移図である。
【図８】第１の実施形態のデジタルサイネージシステムの表示画面に表示する情報の表示上の優先度合いを示す説明図である。
【図９】第１の実施形態のデジタルサイネージシステムのテクスチャー空間を示す説明図である。
【図１０】第２の実施形態のデジタルサイネージシステムの系統図である。
【図１１】第３の実施形態のデジタルサイネージ装置の斜視図である。
【図１２】第３の実施形態のデジタルサイネージ装置の斜視図である。
【図１３】第３の実施形態のデジタルサイネージ装置の各機器の接続を示すブロック図である。
【図１４】第４の実施形態のデジタルサイネージ装置の斜視図である。
【図１５】第４の実施形態のデジタルサイネージ装置の斜視図である。
【発明を実施するための形態】
【００１０】
（第１の実施形態）
本発明にかかるデジタルサイネージシステム、デジタルサイネージシステムに使用されるデジタルサイネージ装置、コンテンツ出力方法及びプログラムについて、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００１１】
図１乃至図６を参照して、情報統合システム１の構成を説明する。図１は、実施形態の情報統合システム１の系統図である。図２は、実施形態の監視カメラシステム５０の店舗のマップ画像とカメラ映像の概要図である。図３は、実施形態の店舗のマップ情報の概要図である。図４は、実施形態の店舗のマップ画像の概要図である。図５は、実施形態のデジタルサイネージシステム２０の画面表示の遷移図である。図６は、実施形態の情報統合システム１の携帯インカムシステム３０の説明図である。
【００１２】
図１に示すように情報統合システム１は、主にデジタルサイネージシステム２０と監視カメラシステム５０を統合し、各システム間はルータ・ハブ６２を介してＬＡＮケーブル６３にて接続されている。そして、このＬＡＮケーブル６３は、無線ＬＡＮルータ６１にも接続されており、無線ＬＡＮルータ６１は、携帯インカム端末３３やタブレット端末４０にＷＩＦＩ等による無線通信によって接続されている。また、無線ＬＡＮルータ６１は、ＬＡＮケーブル６３によってインカムサーバ３１にも接続されている。
【００１３】
先ず、デジタルサイネージシステム２０について説明する。デジタルサイネージシステム２０は、各店舗Ｐ（Ｐ１〜Ｐ１０）に関連する広告のコンテンツを１００台程度まで配信可能なクラウド型のサーバとしてデジタルサイネージサーバ２５を設けている。デジタルサイネージシステム２０は、コンテンツの配信をネットワークによる配信やＵＳＢによる直接配信が可能である。コンテンツの登録としては、動画、静止画、テロップ、音声、ＬＥＤ、カメラ映像及びイベント信号の登録が可能である。イベント信号は、他の機器に接続したタッチセンサーや液晶表示装置２２のタッチパネルからの入力や外部からの入力信号を契機にカメラ映像、画像等の切り替えを行う信号である。特にイベント信号により火災等の緊急時の情報切り替えが迅速にまた簡単に行うことが可能である
【００１４】
デジタルサイネージサーバ２５は、コンテンツの編集ツールを搭載している。また、デジタル端子等により液晶表示装置２２と接続されるメディアプレイヤー２４は、ＣＰＵやメモリを搭載しソフトウエアにより液晶表示装置２２に動画及び静止画を表示可能としており音声も出力可能である。また、メディアプレイヤー２４はＵＳＢやＷＩＦＩ等のイン
ターフェースを搭載している。
【００１５】
次に、監視カメラシステム５０を説明する。監視カメラシステム５０は、店舗Ｐ（Ｐ１〜Ｐ１０）の近傍や通路の天井等や管理室の天井や壁面等に監視カメラ５１を設けている。監視カメラ５１は、監視カメラ５１毎に識別番号として監視カメラ５１に番号が振り付けられている。この識別番号７４を元にカメラ映像管理システム５５及び監視カメラシステム統合サーバ５７は、編集や処理が可能となっている。また、録画装置５２は、監視カメラ５１で撮影した映像を録画している。
【００１６】
次に、携帯型インカムシステム３０を説明する。携帯型インカムシステム３０は、ＷＩＦＩの規格を利用した無線通信によって携帯インカム端末３３間やインカムサーバ３１に接続されたパソコンの端末間とで双方向による通話が可能なシステムである。携帯インカム端末３３は、図６に示すように通話の機能を持った通話アプリケーションソフト３４と、コンテンツの編集や配信が行える機能を持った編集アプリケーションソフト３５及び上記したメディアプレイヤー２４の機能を持った再生アプリケーションソフト３６を備えている。
また、タブレット端末４０は、タッチパネルを搭載したタブレット型の端末であり、ＷＩＦＩの規格を利用した無線通信のネットワークを通じて、コンテンツの編集や配信が行える機能を持った編集アプリケーションソフト３５を備えている。
【００１７】
デジタルサイネージシステム２０と監視カメラシステム５０の連動について図１乃至図５を参照して説明する。
図２は、監視カメラシステム５０のカメラ映像管理システム５５の画面に表示される店舗Ｐ（Ｐ１〜Ｐ１０）のマップ画像２６とカメラ映像２７の様子を表した図である。監視カメラシステム５０は、店舗Ｐ（Ｐ１〜Ｐ１０）のマップ画像２６（図４）の店舗Ｐや又は監視カメラ５１の識別番号を選択すると、その監視カメラ５１は、予め設定された店舗Ｐ（Ｐ１〜Ｐ１０）又はその店舗Ｐ（Ｐ１〜Ｐ１０）の近傍の様子をカメラ映像２７として映し出す。
カメラ映像管理システム５５は、予めＣＳＶ形式のマップ情報７０を保存している。このマップ情報７０は、設備情報７３とカメラ情報７２がデータとして保存されている。設備情報７３の識別番号７５に対してマップ上の位置とリンクするカメラの識別番号が記載され、カメラ情報７２の識別番号７４に対してマップ上の位置とリンクする設備番号（店舗Ｐ１〜Ｐ１０の番号）が記載されている。
このマップ情報７０は、カメラ映像管理システム５５だけでなくデジタルサイネージサーバ２５にも保存され、共有化を図っている。
【００１８】
カメラ映像管理システム５５は、監視カメラシステム統合サーバ５７との間の接続が確立された後、マップ情報７０を監視カメラシステム統合サーバ５７に送信する。その後、監視カメラシステム統合サーバ５７は、デジタルサイネージサーバ２５との間の接続が確立された後、マップ情報７０をデジタルサイネージサーバ２５に送信する。
デジタルサイネージシステム２０は、タッチパネルを搭載した液晶表示装置２２の画面に図５の（Ａ）に示すように店舗Ｐ（Ｐ１〜Ｐ１０）の所在地を表す地図が表されている。
【００１９】
そして、顧客等が画面上にて、この店舗（Ｐ１）の位置を指でタッチすると、デジタルサイネージサーバ２５は、設備番号（店舗Ｐ１の番号）を監視カメラシステム統合サーバ５７に送信し、設備番号（店舗Ｐ１の番号）を受けたカメラ映像管理システム５５は設備番号（店舗Ｐ１の番号）に対応する監視カメラ５１が撮像している映像を呼出す。カメラ映像管理システム５５は、監視カメラ５１が撮像している映像をデジタルサイネージサーバ２５に配信し、デジタルサイネージサーバ２５は、配信された映像を液晶表示装置２２の画面に図５の（Ｂ）に示すように、選択された店舗Ｐ１に対応した生のカメラ映像２７が配信される。また、カメラ映像２７の上方には、選択された店舗Ｐ１に対応した広告画像２８が表示される。広告画像２８は、例えば店舗Ｐ１が靴店であった場合、その店舗Ｐ１が作成した売り出し中の靴の広告の画像等が表示される。
【００２０】
このように、店舗Ｐ１の様子がリアルタイムな映像として映し出され、同時に店舗Ｐ１に関連する広告も表示できるため、顧客は店舗の賑わいや店舗の様子により広告商品の購買意欲が誘発されることにもなる。
更に、この画面上の表示は監視カメラとしての役割もあるため、店主や防犯担当等は離れた箇所からでも異常がないか簡単に確認することができる。
【００２１】
また、タブレット端末４０や携帯インカム端末３３の無線通信によって移動しながら、店舗Ｐ（Ｐ１〜Ｐ１０）の様子もタブレット端末４０や携帯インカム端末３３の画面からリアルタイムな映像を見ることができるので防犯等にも利用することが可能である。
【００２２】
図７乃至図９を参照して、デジタルサイネージシステム２０で表示されるコンテンツについて説明する。図７は、実施形態のデジタルサイネージシステム２０に表示されるコンテンツの遷移図である。図８は、実施形態のデジタルサイネージシステム２０の表示画面に表示する情報の表示上の優先度合いを示す説明図である。図９は、実施形態のデジタルサイネージシステム２０のテクスチャー空間１５１を示す説明図である。
【００２３】
デジタルサイネージシステム２０に表示されるコンテンツの切り替えについて説明する。
通常コンテンツを切り替えるために、切り替え前のコンテンツを残すか又は暗転させた上で次のコンテンツを切り替える場合が多いため、画面表示を停止させる必要があるが、本発明では、コンテンツの切り替えをスムースにするため、図７に示すような方法が採られている。
【００２４】
先ず、図７（Ａ）に示すように第１フレーム８１上に第１コンテンツ８２、第２コンテンツ８３及び第３コンテンツ８４と広告表示や案内等が示されるコンテンツが順次重ねられて表示されている。そして、図７（Ｂ）に示すように第１コンテンツ８２、第２コンテンツ８３及び第３コンテンツ８４を表示すると共に最背面となる下方の第２フレーム８５が表示されている間に、次に表示したい第４コンテンツ８６及び第５コンテンツ８７を表示する。図７（Ｃ）に示すように、最後に前のコンテンツの不要な部分すなわち第１フレーム８１上に表示されている第１コンテンツ８２、第２コンテンツ８３及び第３コンテンツ８４を削除する処理を行うプログラムとする。
このようにして、前のコンテンツ（第１コンテンツ８２、第２コンテンツ８３及び第３コンテンツ８４）と次のコンテンツ（第４コンテンツ８６及び第５コンテンツ８７）の切り替えが行われている。そのため、スムースにコンテンツの切り替えが行われる。
【００２５】
以上のような方法によって、表示されるコンテンツは、組み込み系で使用されるダブルバッファという方法を使用することなくコンテンツをスムースに切り替えることができ、描画手法の効率化となる。
【００２６】
次に、図８に示すようにデジタルサイネージシステム２０に表示されるコンテンツ、テロップ及び背景の順番を保ちながら表示する方法について説明する。
情報の優先度合いの低い方を後方に、高い方を前方に予めレイヤーを定めておく。そして、最前面にシステムエラーレイヤー９１、その下方にテロップレイヤー９２、またその下方にコンテンツレイヤー９３及び背景レイヤー９４と、順に定めて表示する処理を行うプログラムとする。
以上のような方法によって、画面表示上の前後関係が崩れることなく表示する事が可能となり、コンテンツ等のデジタルサイネージシステム２０への表示の簡素化及び開発効率を向上させることができる。
【００２７】
次に、図９に示すようにデジタルサイネージシステム２０に表示されるテロップの表示する方法について説明する。テロップは、通常右から左又は下から上に流れるように文字を表示している。
【００２８】
図９に示すようにテロップとして表示したい文字をテクスチャー空間１５１に文字列として描画する。例えば、ある文字の単位「あいうえ」をテロップとして表示するために、表示する単位数の文字列を囲うスコープ１５６を設け、そのスコープ１５６で囲われた範囲のみをテロップとして表示している。そして、本実施例の場合には右から左へと横に流れるテロップを表している。文字列は、第１文字列１５５を「あいうえおかきくけ」と、第２文字列１５４を「かきくけさしすせそ」、第３文字列１５３を「さしすせそたちつてと」及び第４文字列１５２を「たちつてとなにぬね」と描画する。
その上で、スコープ１５６は、座標を文字列に沿って上方から右に移動しながら下方へ移動しテロップとして表示する処理を行う。また、文字列は、スコープ１５６の切り替わりの際にスムースに見えるように文字が第１文字列１５５と第２文字列１５４の「かきくけこ」の部分のように重複して記載されている。
以上のような方法によって、デジタルサイネージシステム２０の画面に表示する処理を行うプログラムは、メモリ容量を抑えることができ、スムースなテロップの表現を行うことができる。
【００２９】
（第２の実施形態）
第２の実施形態のデジタルサイネージシステム１００の例を、図１０を参照しつつ説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。また、第１の実施形態と同じ構成については同じ符号を付して説明するが、同じ構成の箇所は上述と同様であるので説明を省略する。
【００３０】
図１０は、実施形態のデジタルサイネージシステム１００の系統図である。デジタルサイネージシステム１００は、インターネット網Ｅを経由してコンテンツを配信するシステムである。デジタルサイネージサーバ２５ａに接続されるコンテンツ制作用のアプリケーションを備えたコンテンツ制作用端末１８１は、コンテンツを作成することができる。コンテンツ制作用端末１８１によって制作されたコンテンツは、インターネット網Ｅを経由してコンテンツ制作・配信用端末１８３によってＬＡＮケーブル６３を接続した各メディアプレイヤー２４に配信される。コンテンツ制作・配信用端末１８３は、コンテンツ製作用のアプリケーションを備えている。メディアプレイヤー２４は、接続される機器に応じて複数設けられており、メディアプレイヤー群１８４が構築されている。また、デジタルサイネージサーバ２５ｂを無線ＬＡＮ６１へＬＡＮケーブル６３により接続し、インターネットの環境がなくてもコンテンツの制作・配信が可能としている。
【００３１】
メディアプレイヤー２４に接続される機器には、サイネージモニター１８８、スピーカー１８７、舞台用演出やイルミネーション等に使用されるＬＥＤ１８６、人が近づくと信号をメディアプレイヤー２４に送る人感センサー１８５及び監視カメラ（ＩＰカメラ）５１がある。これら機器は連動しており、その状況に応じて作動する。例えば、人感センサー１８５は、サイネージモニター１８８の前面に設けられたハーフミラーと共に人感センサー１８５が設けられている。通常はメディアプレイヤー２４からサイネージモニター１８８に広告が配信され表示されているが、人が近づくとサイネージモニター１８８は消灯し、ハーフミラーが鏡となり近づいた人が、その鏡に映し出される。これらシステムは、特に化粧室等に採用される。また、スピーカー１８７と共に舞台用演出やイルミネーション等に使用されるＬＥＤ１８６は、コンテンツが配信されるメディアプレイヤー２４により配信されるコンテンツに従って駆動している。
【００３２】
また、例えば、美容室ではサイネージモニター１８８の前面に設けられたハーフミラーが設けられており、通常は鏡として使用されるが、顧客が後ろの髪型等を確認する場合に、ＩＰカメラ５１や無線ＬＡＮルータ６１で接続したカメラを搭載した携帯電話やタブレット端末等を利用してサイネージモニター１８８に、携帯電話やタブレット端末により撮像した映像をリアルタイムにサイネージモニター１８８に映し出すことも可能である。
以上のシステムによって様々な機器と連動し、様々なコンテンツを各機器で稼働することができる。また、コンテンツは、インターネット網Ｅを経由して配信可能であるためメディアプレイヤー２４の近くに設けなくても制作は可能である。
【００３３】
（第３の実施形態）
第３の実施形態のデジタルサイネージ装置１２０の例を、図１１乃至図１３を参照しつつ説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００３４】
図１１及び図１２に示すデジタルサイネージ装置１２０は、雪見窓を設けた障子戸や引き戸等に使用される扉に設けられている。扉に設けたデジタルサイネージ装置１２０は、木製や金属製の縦桟１２６と横桟１２８で周囲を囲った筐体部１３０を設けている。内部には、障子紙等が張られた格子状の採光を取り入れることが可能な窓部１２７が設けられている。窓部１２７を設けた移動格子窓部１４０は、上下に移動することができ液晶表示部１２１の表示画面の前面全体を被うように移動が可能である。
このように構成することによって、薄型に扉が形成することができるため、扉を引き戸として構成した場合には、引き戸が重なっても薄型であるため重ねて配置することができる。
【００３５】
液晶表示部１２１は、透過型の透明な液晶モジュールや透明な有機ＥＬを使用した液晶モニターを使用しており、前面からは後方が透けて見えるようになっており、後方の景色等を見ることができる。
また、デジタルサイネージ装置１２０は、液晶表示部１２１を制御する制御部１２５を液晶表示部１２１の下方に設け、制御部１２５や無線通信装置１３３（図１３）を収納する空間を設けた空間部１２３を備えている。空間部１２３は、木製や金属製で形成されている。図１３に示すように商用電源１３１である交流１００Ｖを電源供給部１３２から電源受電部１２９に電源を供給する。電源供給部１３２と電源受電部１２９は、レール型の接触式の電源供給や非接触による電源給電等の技術が採用可能である。
【００３６】
図１１及び図１３に示す電源受電部１２９は、電源を供給するため配線１３４により液晶表示部１２１及び制御部１２５に接続されている。配線１３４は、縦桟１２６の内部に設けられた空間の配線収納部１３５に設けられている。
無線通信装置１３３は、ＷＩＦＩ規格による無線通信等が使用されており、第１の実施形態等で作成したコンテンツ等が配信され、制御部１２５は液晶表示部１２１に広告や案内等を表示可能としている。
以上のデジタルサイネージ装置１２０によって、デザイン性の優れたデジタルサイネージが構成可能である。
【００３７】
尚、デジタルサイネージ装置１２０は、上述した店舗Ｐ（Ｐ１〜Ｐ１０）等のドア等に使用しても良く、特に限定することもない。
尚、筐体部１３０は、アルミ材やステン材の金属で作成し、表面に木目調のシートを張ることでデザイン性に優れた物となる。筐体部１３０を全て木材で形成することも可能である。
【００３８】
（第４の実施形態）
第３の実施形態のデジタルサイネージ装置２１０の例を、図１４乃至図１５を参照しつつ説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００３９】
図１４及び図１５に示すデジタルサイネージ装置２１０は、雪見窓２２１を設けた障子戸や引き戸等に使用される扉２２０と、壁に埋設された液晶表示部２７０と、壁に埋設された照明部２６０と、収納部２５０とにより構成されている。
収納部２５０は、建物の壁等に設けられており、扉２２０をスライド可能なようにレール部２５１が部屋等の出入り口付近の上下に設けられている。レール部２５１は、扉を差し込んで固定及びスライド可能な溝が設けられている。
【００４０】
収納部２５０は、上下のレール部２５１の間に、照明部２６０を収納する空間を設けた照明収納部２５２と、左右の両側に照明部２６０を取付が可能な固定部２５４とが設けられている。尚、照明収納部２５２は照明部２６０を設置しているが、照明部２６０に代わって棚や絵を取り付けても良い。
また、収納部２５０は、照明収納部２５２の下方に液晶表示部２７０を収納する空間を備えたモニター収納部２５３を設けている。
【００４１】
次に、扉２２０は、周囲を木製又は金属製により骨格を形成した筐体部２３０を備えている。扉２２０は、筐体部２３０の内部に、木製又は金属製の横と縦を桟２２７により格子状に形成した格子部２４０が設けられている。格子部２４０は、障子紙や障子用プラスチック紙等が貼り付けられており、照明部２６０からの光を透過することが可能である。また、扉２２０は、格子部２４０の下方に、液晶表示部２７０の映像を映し出すために、透明なガラスや樹脂等により形成された表示部２２１を設けている。
尚、扉２２０は、図１４の横方向にスライド移動可能であるが、図面向かって左方向にスライドすることにより、照明部２６０及び液晶表示部２７０と、格子部２４０及び表示部２２１との位置が合い、各々の表示が適正に表示することが可能となる。
尚、表示部２２１は、実施例３のように透過型の透明な液晶モジュールや透明な有機ＥＬを使用した液晶モニターを使用しても良く、前面からは後方が透けて見えるようになっており、後方の景色等を見ることができるようにしてもよい。
【００４２】
次に、照明部２６０は、ＬＥＤ等の発光素子を複数個列設して設けた基板を内蔵し、アルミの押出成形により形成したコ字状のアルミ筐体２６１を設けている。また、照明部２６０は、アルミ筐体２６１に内蔵された発光素子からの光を、格子部２４０の方向に向かって発光する導光板２６２と、導光板２６２の裏面に図示しない反射材を混入した白色の反射板とを設けている。照明部２６０は、フルカラーのＬＥＤ等を利用して用途に合わせて発光色を変化させて演出等に利用することが可能である。そして、デジタルサイネージ装置２１０は格子部２４０を透して発光色による演出を鑑賞することが可能である。
また、デジタルサイネージ装置２１０は、格子部２４０を透過して採光することで、照明部２６０から発光を直接目にすることがなく、鑑賞する人は眩しくないという利点もある。
【００４３】
次に、液晶表示部２７０は、壁に埋め込みが可能なように薄く形成し、実施例１又は実施例２に示す内容のコンテンツ又はテレビ画像等を表示することも可能である。また、雪見景色、観光案内及び景観の映像等を表示することが可能である。
液晶表示部２７０及び照明部２６０は、上下に配置されているために、液晶表示部２７０に表示される内容に合わせて照明部２６０の表示色を変化しても良い。例えば、液晶表示部２７０に桜の景色が表されれば、照明部２６０を桜色の発光色とし、液晶表示部２７０に桜の夏の海の景色が表されれば、照明部２６０を青色の発光色とすることが考えられる。このように液晶表示部２７０に表示される内容に合わせて表示する事でデジタルサイネージ装置２１０全体での演出が可能となる。
【００４４】
尚、扉２２０は部屋に使用した扉としているが、窓として使用しても良く、表示部２２１から外の景色を見ることができる構造であっても良い。
尚、本実施例では、壁にデジタルサイネージ装置２１０を埋設した状態を表したが、デジタルサイネージ装置２１０が移動可能なように、デジタルサイネージ装置２１０を全て収納できる筐体を形成し、その筐体にキャスター等設け、デジタルサイネージ装置２１０が移動できる構造としても良い。
【００４５】
（技術的特徴）
以下に本実施形態の技術的特徴点の一例を括弧に内に示すが、特に限定するものでもなく例示しているものであり、これら特徴から考えられる効果についても記載する。
【００４６】
＜第１の特徴点＞
店舗の広告や案内を表示する表示画面を含んだ表示装置を設けたデジタルサイネージシステムであって、複数の前記店舗の所在を示す地図が記載される地図領域（例えば、主にマップ画像２６）と、前記店舗と予め関連づけられた広告を表示する広告表示データ（例えば、主に広告画像２８、デジタルサイネージで作成するコンテンツ等）と、前記店舗の近傍に設置される監視カメラ（例えば、主に監視カメラ５１）と、前記地図領域に示される店舗が選択されると前記表示画面の切り替えを行い、選択された店舗の前記広告表示データを前記表示画面に表示する広告領域と、前記店舗により予め定められた店舗の近傍を前記監視カメラが撮像し、その撮像した映像を前記表示画面に表示する映像表示領域（例えば、主にカメラ映像２７）と、前記表示画面に前記広告領域と前記映像表示領域とを同時に表示する複数画面表示手段（例えば、主に液晶表示装置２２）と、を備えたことを特徴とする。
【００４７】
以上の特徴によって店舗の様子が映像として映し出され、同時に店舗に関連する広告も表示できるため、顧客は店舗の賑わいや店舗の様子により広告商品の購買意欲が誘発されることにもなる。
更に、この画面上の表示は監視カメラとしての役割もあるため、店主や防犯担当等は離れた箇所からでも異常がないか簡単に確認することができる。
【００４８】
＜第２の特徴点＞
前記映像表示領域に配信される前記監視カメラの映像をリアルタイムで表示するリアルタイム配信手段（例えば、主にカメラ映像管理システム５５及びデジタルサイネージサーバ２５）と、を備えたことを特徴とする。
以上の特徴によって、店舗の様子がリアルタイムな映像として映し出され、顧客は店舗の賑わいや店舗の様子により広告商品の購買意欲が誘発されることにもなる。
【００４９】
＜第３の特徴点＞
前記地図領域に記載された前記店舗の一つを選択可能なタッチセンサー（例えば、主にタッチパネルを搭載した液晶表示装置２２）と、前記店舗には固有の識別番号として店舗識別番号（例えば、主に設備番号（店舗Ｐの番号）としての識別番号７５）が付与され、前記監視カメラには固有の識別番号として監視カメラ識別番号（例えば、主にカメラ番号としての識別番号７４）が付与され、前記地図領域の位置情報と、店舗識別番号及び監視カメラ識別番号とを関連付けて管理する管理手段（例えば、主にマップ情報７０）と、を備え、前記管理手段は、前記タッチセンサーが選択した前記地図領域の位置情報に対応した店舗識別番号及び監視カメラ識別番号を呼び出し、前記店舗識別番号に対応した前記広告表示データと、前記監視カメラ識別番号に対応した前記監視カメラが撮像した映像と、を前記表示装置に配信し、前記表示装置の前記表示画面に表示するデータ配信手段（例えば、主にデジタルサイネージサーバ２５）と、を備えたことを特徴とする。
【００５０】
以上の特徴によって、店舗の様子がリアルタイムな映像として映し出され、顧客は店舗の賑わいや店舗の様子により広告商品の購買意欲が誘発されることにもなる。また、同時に店舗に関連した広告も表示することが可能である。
【００５１】
＜第４の特徴点＞
無線による通信が可能な無線通信手段（例えば主に無線ＬＡＮルータ６１）を備えた携帯端末装置（例えば、主に携帯電話、タブレット端末４０又は携帯インカム端末３３）と、  前記無線通信手段によって得られた前記広告表示データを前記携帯端末装置により編集可能な編集手段（例えば、主に編集アプリケーションソフト３５）と、前記無線通信手段によって予め定められた店舗の近傍を撮像する前記監視カメラの映像を前記携帯端末装置の画面に表示示可能な端末表示手段（例えば、主に携帯電話、タブレット端末４０又は携帯インカム端末３３の画面）と、を備えたことを特徴とする。
【００５２】
以上の特徴によって、端末表示手段が監視カメラとしての役割もあるため、店主や防犯担当等は離れた箇所からでも異常がないか簡単に確認することができる。また、広告の編集もリアルタイムに変更することができる。
【００５３】
＜第５の特徴点＞
店舗等の広告又は案内を表示装置の表示画面に複数のコンテンツを出力するコンテンツ出力方法であって、第１のフレーム（例えば、主に第１フレーム）内に少なくとも１つの第１のコンテンツ（例えば、主に第１コンテンツ８２、第２コンテンツ８３、第３コンテンツ８４の内何れか一つであっても良く）を表示する工程と、前記第１のフレーム及び前記第１のコンテンツを表示させた状態で前記第１のフレームの背面に第２のフレーム（第２フレーム８５）を表示させ、前記第２のフレーム内には少なくとも１つの第２のコンテンツ（例えば、主に第４コンテンツ８６、第５コンテンツ８７の内何れか一つであっても良く）を表示させる工程と、前記第２のコンテンツを表示させた後、前記第１のフレーム及び前記第１のコンテンツを削除する工程と、を有することを特徴とする。
【００５４】
以上のような特徴によって、表示されるコンテンツは、組み込み系で使用されるダブルバッファという方法を使用することなくコンテンツをスムースに切り替えることができ、描画手法の効率化となる。
【００５５】
＜第６の特徴点＞
店舗等の広告又は案内を表示装置の表示画面に表示する文字を出力するコンテンツ出力方法であって、表示する文字列を予めテクスチャー空間（例えば、主にテクスチャー空間１５１）に描画する工程と、前記テクスチャー空間に描画した前記文字列を囲われた表示領域（例えば、主にスコープ１５６）内にのみに表示する工程と、前記表示領域を前記文字列に従って移動し、文字を前記表示画面上に表示する工程と、を有することを特徴とする。
以上のような特徴によって、デジタルサイネージシステムの画面に表示する処理を行うプログラムは、メモリ容量を抑えることができ、スムースなテロップの表現を行うことができる。
【００５６】
＜第７の特徴点＞
前記表示領域内に表示可能な前記単位文字数分を重複して描画する工程と、文字列表示手段（例えば、主に第１文字列１５５から第４文字列１５２）は、前記単位表示手段を移動させて前記文字列を表示する工程と、を有することを特徴とする。
以上のような特徴によって、デジタルサイネージシステムの画面に表示する処理を行うプログラムは、メモリ容量を抑えることができ、スムースなテロップの表現を行うことができる。
【００５７】
＜第８の特徴点＞
前記表示画面に表示する順番が予め定められている複数のレイヤーと、上位に表示する上位レイヤーに前記文字列を描画し、前記表示画面上に前記文字を表示する前記文字列表示手段（例えば、主にテロップレイヤー９２）と、前記上位レイヤーの下方に位置した下位レイヤーに背景を描画する背景描画手段（例えば、主に背景レイヤー９４）と、前記上位レイヤーと下位レイヤーの中間に位置した中間レイヤーに前記コンテンツを描画するコンテンツ描画手段（例えば、主にコンテンツレイヤー９３）と、を制御する機能をさせることを特徴とする。
以上のような特徴によって、画面表示上の前後関係が崩れることなく表示する事が可能となり、コンテンツ等のデジタルサイネージシステムへの表示の簡素化及び開発効率を向上させることができる。
【００５８】
＜第９の特徴点＞
開閉する扉に備えられたデジタルサイネージ装置であって、前記扉の筐体を形成した筐体部（例えば、主に筐体部１３０）と、前記筐体部の内部には広告又は案内を表示する表示画面（例えば、主に液晶表示部１２１）と、前記表示画面以外の筐体内に前記表示画面を制御する制御部（例えば、主に制御部１２５）と、前記扉の周囲の少なくとも一片に前記制御部へ供給する電源を受電する電源受電部（例えば、主に電源受電部１２９）と、電源を前記制御部へ供給する配線（例えば、主に配線１３４）を、筐体を形成する一部の支柱の内部に配設した配線敷設部（例えば、主に配線収納部）と、を備えたことを特徴とする。
以上のような特徴によって、デザイン性の優れたデジタルサイネージ装置が構成可能である。
【００５９】
＜第１０の特徴点＞
前記筐体部を形成する支柱を格子状に形成し、採光が可能な窓部（例えば、主に窓部１２７）と、を備え、前記窓部と、前記表示画面及び前記制御部を収納する空間部（例えば、主に空間部１２３）とを上下に並列に配置したことを特徴とする。
以上のような特徴によって、薄型に扉が形成することができるため、扉を引き戸として構成した場合には、引き戸が重なっても薄型であるため重ねて配置することができる。
【００６０】
＜第１１の特徴点＞
格子状に形成した前記窓部は、前記筐体部に沿って上下にスライド可能に形成し、前記表示画面を被うように配置したことを特徴とする。
以上のような特徴によって、薄型に扉が形成することができるため、扉を引き戸として構成した場合には、引き戸が重なっても薄型であるため重ねて配置することができる。
【００６１】
＜第１２の特徴点＞
前記表示画面は、消灯時に透過可能な透過手段を備えたことを特徴とする。
以上のような特徴によって、デザイン性の優れたデジタルサイネージ装置が構成可能であると共に、後方の背景を眺めることができるので消灯時であっても表示画面の利用価値が優れたものとなる。
【００６２】
＜第１３の特徴点＞
採光が可能な格子状の格子部（例えば、主に格子部２４０）と、背面にある液晶表示部（例えば、主に液晶表示部２７０）を透過し表示する表示部（例えば、主に表示部２２１）と、を備えた扉（例えば、主に扉２２０）と、
前記液晶表示部の近傍に設け、発光素子からの光を前記格子部に向かって発光する照明部（例えば、主に照明部２６０）と、コンテンツを再生する前記液晶表示部と、前記照明部と前記液晶表示部とを収納する収納部（例えば、主に収納部２５０）と、を備えたことを特徴とする。
【００６３】
以上の構成によって、液晶表示部に表示される内容に合わせて表示する事でデジタルサイネージ装置全体での演出が可能となる。また、デジタルサイネージ装置は、格子部を透過して採光することで、照明部から発光を直接目にすることがなく、鑑賞する人は眩しくないという利点もある。
【００６４】
＜第１４の特徴点＞
前記扉をスライドして移動させることにより、前記格子部と前記照明部との位置が合致し、及び前記表示部と前記液晶表示部との位置が合致する位置に、前記扉を移動することが可能なレール状のレール部（例えば、主にレール部２５１）を前記収納部に備えたことを特徴とする。
簡単に前記格子部と前記照明部との位置と前記表示部と前記液晶表示部との位置を合わせることができるので、液晶表示部に表示される内容に合わせて表示する事でデジタルサイネージ装置全体での演出が可能となる。また、デジタルサイネージ装置は、格子部を透過して採光することで、照明部から発光を直接目にすることがなく、鑑賞する人は眩しくないという利点もある。
【産業上の利用可能性】
【００６５】
屋外や屋内の商業施設の広告だけでなく駅・バスの案内表示や図書館や美術館等の案内表示にも利用が可能である。
【符号の説明】
【００６６】
１…情報統合システム、２０・１００…デジタルサイネージシステム、
２２…液晶表示装置、２４…メディアプレイヤー、２５…デジタルサイネージサーバ、
２６…マップ画像、２７…カメラ映像、２８…広告画像、３０…携帯型インカムシステム、
３１…インカムサーバ、３３…携帯インカム端末、３４…通話アプリケーションソフト、」３５…編集アプリケーションソフト、３６…再生アプリケーションソフト、
４０…タブレット端末、５０…監視カメラシステム、５１…監視カメラ、５２…録画装置、
５５…カメラ映像管理システム、５７…監視カメラシステム統合サーバ、
６１…無線ＬＡＮルータ、６２…ルータ・ハブ、６３…ＬＡＮケーブル、
７３・７４…識別番号、８１…第１フレーム、８２…第１コンテンツ、
８３…第２コンテンツ、８４…第３コンテンツ、８５…第２フレーム、
８６…第４コンテンツ、８７…第５コンテンツ、９１…システムエラーレイヤー、
９２…テロップレイヤー、９３…コンテンツレイヤー、９４…背景レイヤー、
１２０・２１０…デジタルサイネージ装置、１２１…液晶表示部、１２３…空間部、
１２５…制御部、１２６…縦桟、１２７…窓部、１２８…横桟、１２９…電源受電部、
１３０…筐体部、１３１…商用電源、１３２…電源供給部、１３３…無線通信装置、
１３４…配線、１３５…配線収納部、１４０…移動格子窓部、１５１…テクスチャー空間、
１５２…第４文字列、１５３…第３文字列、１５４…第２文字列、１５５…第１文字列、
１５６…スコープ、１８１…コンテンツ制作用端末、
１８３…コンテンツ制作・配信用端末、１８４…メディアプレイヤー群、
１８７…スピーカー、１８５…人感センサー、１８８…サイネージモニター、
２２０…扉、２２１…表示部、２４０…格子部、２５０…収納部、２５１…レール部、
２５２…照明収納部、２５３…モニター収納部、２５４…固定部、
２６０…照明部、２６１…アルミ筐体、２６２…導光板、２７０…液晶表示部、
Ｅ…インターネット網、Ｐ（Ｐ１〜Ｐ１０）…店舗。
【図１】
2018010613.tif 000003
【図２】
2018010613.tif 000004
【図３】
2018010613.tif 000005
【図４】
2018010613.tif 000006
【図５】
2018010613.tif 000007
【図６】
2018010613.tif 000008
【図７】
2018010613.tif 000009
【図８】
2018010613.tif 000010
【図９】
2018010613.tif 000011
【図１０】
2018010613.tif 000012
【図１１】
2018010613.tif 000013
【図１２】
2018010613.tif 000014
【図１３】
2018010613.tif 000015
【図１４】
2018010613.tif 000016
【図１５】
2018010613.tif 000017